(57)【要約】【課題】本発明の課題は、脱穀選別部の伝動機構のメンテナンス性向上、並びに、簡素化を図ることを目的とする。【解決手段】 本発明は、脱穀装置（９）の前部に位置して唐箕（１６）の前側に架設する脱穀カウンタ軸（２０）と、１番・２番螺旋受樋（１７），（１８）の上方位置に架設する後部カウンタ軸（２１）とを設け、前記脱穀カウンタ軸（２１）から後部カウンタ軸（２１）、刈取入力軸（２３）を逆転駆動する刈取逆転入力軸（２４）及び唐箕入力軸（２６）を駆動し、後部カウンタ軸（２１）から１番・２番螺旋軸（２８），（２９）、揺動選別棚（１５）の揺動クランク軸（３１）及び脱穀済み排稈を切断処理する排稈切断装置（１９）のスプレッダ入力軸（３３）を駆動し、１番・２番螺旋軸（２８），（２９）のを駆動するベルト駆動手段（３０）をテンションするテンションアーム（３６）は１番螺旋軸（１７）に架設する。【選択図】      図３
2016185093.tif 000002
【特許請求の範囲】
【請求項１】
脱穀装置（９）の前部に位置して唐箕（１６）の前側に架設する脱穀カウンタ軸（２０）と、１番・２番螺旋受樋（１７），（１８）の上方位置に架設する後部カウンタ軸（２１）と、前記脱穀カウンタ軸（２１）から後部カウンタ軸（２１）、刈取入力軸（２３）を逆転駆動する刈取逆転入力軸（２４）及び唐箕入力軸（２６）を駆動するベルト駆動手段（２２），（２５），（２７）と、前記後部カウンタ軸（２１）から１番・２番螺旋軸（２８），（２９）、揺動選別棚（１５）の揺動クランク軸（３１）及び脱穀済み排稈を切断処理する排稈切断装置（１９）のスプレッダ入力軸（３３）を駆動するベルト駆動手段（３０），（３２），（３４）を備え、前記１番・２番螺旋軸（２８），（２９）のベルト駆動手段（３０）をテンションするテンションアーム（３６）を１番螺旋軸（１７）に架設してあることを特徴とするコンバイン。
【請求項２】
前記１番・２番ベルト（３０）をテンション調整するテンションスプリング（３７）は、１番螺旋受樋（１７）と２番螺旋受樋（１８）との間で１番・２番ベルト巻回エリア内に設置してあることを特徴とする請求項１記載のコンバイン。
【請求項３】
前記刈取逆転入力軸（２４）を駆動するベルト駆動手段（２５）をテンションするテンションアーム（４２）を脱穀カウンタ軸（２０）に架設してあることを特徴とする請求項１又は請求項２記載のコンバイン。
【請求項４】
前記刈取逆転駆動プーリ（４４）の外周部に設けるベルトストッパ（４５）の取付部は、カウンタベルト（２２）の巻回エリア圏内に設けてあることを特徴とする請求項１又は請求項２又は請求項３記載のコンバイン。
【発明の詳細な説明】
【技術分野】
【０００１】
この発明は、コンバインに関する。
【背景技術】
【０００２】
特許文献１に開示された技術は、汎用コンバインにおいて、エンジンからの回転動力を唐箕軸に伝達し、この唐箕軸から副唐箕軸、２番唐箕軸、中継軸にベルト伝動し、この中継軸からはベルト駆動手段によりチョッパを駆動するようにし、更に、前記唐箕軸からベルト駆動手段を介して１番・２番スクリュ軸を駆動し、また、２番スクリュ軸からは揺動選別棚をベルト伝動する構成になっている。
【先行技術文献】
【特許文献】
【０００３】
【特許文献１】特開２０１２−６０９６８号公報
【発明の概要】
【発明が解決しようとする課題】
【０００４】
本発明の課題は、脱穀装置の各部に動力伝達するカウンタ軸を前後に振分け配置し、前部のカウンタ軸からは、後部のカウンタ軸、刈取入力軸を逆転駆動する刈取逆転入力軸及び唐箕入力軸をそれぞれ独立的にベルト伝動する構成とし、後部のカウンタ軸からは、１番・２番螺旋軸、揺動選別棚の揺動クランク軸及び脱穀済み排稈を切断処理する排稈切断装置をそれぞれ独立してベルト伝動する構成とすることで、メンテナンス性の向上、並びに、ベルト式駆動手段の簡素化を図ることを目的とする。
【課題を解決するための手段】
【０００５】
この発明は、上記課題を解決すべく次のような技術的手段を講じた。
【０００６】
すなわち、請求項１記載の発明は、脱穀装置（９）の前部に位置して唐箕（１６）の前側に架設する脱穀カウンタ軸（２０）と、１番・２番螺旋受樋（１７），（１８）の上方位置に架設する後部カウンタ軸（２１）と、前記脱穀カウンタ軸（２１）から後部カウンタ軸（２１）、刈取入力軸（２３）を逆転駆動する刈取逆転入力軸（２４）及び唐箕入力軸（２６）を駆動するベルト駆動手段（２２），（２５），（２７）と、前記後部カウンタ軸（２１）から１番・２番螺旋軸（２８），（２９）、揺動選別棚（１５）の揺動クランク軸（３１）及び脱穀済み排稈を切断処理する排稈切断装置（１９）のスプレッダ入力軸（３３）を駆動するベルト駆動手段（３０），（３２），（３４）を備え、前記１番・２番螺旋軸（２８），（２９）のベルト駆動手段（３０）をテンションするテンションアーム（３６）を１番螺旋軸（１７）に架設してあることを特徴とする。
【０００７】
脱穀装置の各部に動力伝達するカウンタ軸（２０），（２１）を前後に配置し、前部カウンタ軸（２０）からは、後部カウンタ軸（２１）、刈取逆転入力軸（２４）及び唐箕入力軸（２６）をそれぞれベルトによって駆動し、後部カウンタ軸（２１）からは、１番・２番螺旋軸（２８），（２９）、揺動クランク軸（３１）及びスプレッダ入力軸（３３）をそれぞれベルトによって駆動する構成であるから、各部いづれかにトラブルが生じてもそれぞれ単独で処理できメンテナンス性が向上する。
【０００８】
また、１番・２番ベルト（３０）をテンションするテンションアーム（３６）は、１番螺旋軸（２８）に架設するものであるから、別個にアームの支点軸を設ける必要がなく、安価に実施することができる。
【０００９】
請求項２記載の発明は、請求項１において、前記１番・２番ベルト（３０）をテンション調整するテンションスプリング（３７）は、１番螺旋受樋（１７）と２番螺旋受樋（１８）との間で１番・２番ベルト巻回エリア内に設置してあることを特徴とする。
【００１０】
上記構成によると、ベルトテンションスプリング（３７）は、１番螺旋受樋と２番螺旋受樋間の１番・２番ベルト巻回エリア内に設置してあるため、テンション調整が行い易く、メンテナンスも容易に行える。
【００１１】
請求項３記載の発明は、請求項１又は請求項２において、前記刈取逆転入力軸（２４）を駆動するベルト駆動手段（２５）をテンションするテンションアーム（４２）を脱穀カウンタ軸（２０）に架設してあることを特徴とする。
【００１２】
上記構成によると、刈取逆転入力ベルト（２５）のテンションアーム（４２）は、脱穀カウンタ軸を利用して架設するものであるから、別の支点軸を設ける必要がなく安価に実施することができる。
【００１３】
請求項４記載の発明は、請求項１又は請求項２又は請求項３において、刈取逆転駆動プーリ（４４）の外周部に設けるベルトストッパ（４５）の取付部は、カウンタベルト（２２）の巻回エリア圏内に設けてあることを特徴とする。
【００１４】
上記構成によると、ベルトストッパ取付部をカウンタベルト巻回エリア内に設けることで、逆転入力ベルト交換等のメンテナンスが容易に行える。
【発明の効果】
【００１５】
請求項１記載の発明によれば、脱穀装置の各部に動力伝達するカウンタ軸を前後に配置し、前部カウンタ軸からは、後部カウンタ軸、刈取逆転入力軸及び唐箕入力軸をそれぞれベルトによって駆動し、後部カウンタ軸からは、１番・２番螺旋軸、揺動クランク軸及び排稈切断装置をそれぞれベルトによって駆動する構成であるから、各部に詰り等のトラブルが生じてもそれぞれ単独で処理できメンテナンス性が向上する。
【００１６】
また、１番・２番ベルトをテンションするテンションアームは、１番螺旋軸に架設するものであるから、別個にアームの支点軸を設ける必要がなく、安価に実施することができる。
【００１７】
請求項２記載の発明によれば、請求項１記載の発明の効果に加えて、ベルトテンションスプリングは、１番螺旋受樋と２番螺旋受樋間において、１番・２番ベルトの巻回エリア内に設置してあるため、テンション調整が行い易く、メンテナンスも容易に行える。
【００１８】
請求項３記載の発明によれば、請求項１又は請求項２記載の発明の効果に加えて、刈取逆転入力ベルトのテンションアームは、脱穀カウンタ軸を利用して架設するものであるから、別の支点軸を設ける必要がなく安価に実施することができる。
【００１９】
請求項４記載の発明によれば、請求項１又は請求項２又は請求項３記載の発明の効果に加えて、ベルトストッパ取付部をカウンタベルト巻回エリア内に設けることで、逆転入力ベルト交換等のメンテナンスが容易に行える。
【図面の簡単な説明】
【００２０】
【図１】汎用コンバインの側面図
【図２】汎用コンバインの背面図
【図３】脱穀装置の要部の側面図
【図４】脱穀装置の要部の背面図
【図５】扱胴カバーの内面図
【図６】異なる角度の排塵ガイド板を示す。
【発明を実施するための形態】
【００２１】
この発明の実施例を図面に基づき説明する。
【００２２】
図１及び図２は、圃場に立毛する稲麦や菜種等の作物茎稈を自走しながら刈り取って収穫する汎用コンバインを示すものであり、下部に左右一対の走行クローラ２，２を備えた車体１の前側には、作物茎稈を後方に掻き込む掻込タインを備えた掻込リール３と、掻込後の茎稈を切断するバリカン式の刈刃装置４と刈取後の茎稈をテーブル上に掻き込む掻込オーガ５等からなる刈取前処理部６を備えている。
【００２３】
刈取前処理部６の左側から後方にわたって装備されたフィーダハウス７内には、刈取前処理部からの作物茎稈を受け継いで後方上方に揚上搬送して脱穀装置（脱穀部）９内に供給するフィードコンベア８が装備されている。フィーダハウス７の右側には、運転席１０や操作ボックス１１等からなる運転操作部が装備され、運転操作部の後方には収穫物を一時的に貯留するグレンタンク１２が設置されている。
【００２４】
なお、運転席１０横側のサイド操作ボックス上には刈取前処理部６を逆転させる刈取逆転レバー１３が設けられ、刈取クラッチレバーを切り操作した状態で、刈取逆転レバーを操作すると、刈取前処理部の刈取入力軸が逆転する。例えば、フイードコンベア８に作物の詰りが生じた場合、フイードコンベアの逆転によって詰った作物を前方に繰出し取り除くことができる。
【００２５】
脱穀装置９は、上部に刈取前処理部からの刈取穀稈を受け入れて脱穀処理する脱穀部９Ａを備え、下部に脱穀処理後の処理物を受け入れて選別処理する選別部（選別装置）９Ｂを備えている。
【００２６】
上部の脱穀部９Ａは、扱室内に架設する前後向きの扱胴や扱胴の下方を受ける受網などからなる。
【００２７】
下部の選別部９Ｂは、脱穀処理物を受け入れて揺動篩い選別する揺動選別棚１５や風選別が可能な唐箕１６が脱穀部の前部下方に配置されている。また、揺動選別棚１５の下方には１番螺旋受樋１７及び２番螺旋受樋１８が設置されている。
【００２８】
脱穀装置９の後部には、扱室終端の排稈口から排出される脱穀処理後の排稈類や、揺動選別棚１５終端の排塵口から排出される藁屑類を受け入れて切断処理する排稈切断装置（スプレッダ）１９が配備されている。
【００２９】
脱穀装置９の前側には脱穀装置の各部に動力を伝達する脱穀カウンタ軸（脱穀入力軸）２０が、また、後部側には１番・２番螺旋受樋１７，１８の上方位置において後部カウンタ軸２１が架設されている。
【００３０】
そして、脱穀カウンタ軸２０から後部カウンタ軸２１、刈取入力軸２３を逆転駆動する刈取逆転入力軸２４及び唐箕１６への唐箕入力軸２６を駆動するベルト駆動手段（カウンタベルト２２，刈取逆転ベルト２５，唐箕ベルト２７）がそれぞれ設けられ、また、前記後部カウンタ軸２１からは、１番螺旋軸２８と２番螺旋軸２９、揺動選別棚１５の揺動クランク軸３１及び排稈切断装置１９のスプレッダ入力軸３３を駆動するベルト駆動手段（１番・２番ベルト３０，揺動ベルト３２，スプレッダベルト３４）がそれぞれ独立して設けられている。
【００３１】
１番・２番ベルト３０をテンションするテンションプーリ３５のアーム３６は、１番螺旋軸２８を支点として揺動変位するよう架設してある。そして、テンションプーリ３５によるベルト３９の張り具合を調整するテンションスプリング３７は、１番螺旋受樋１７と２番螺旋受樋１８との間で１番・２番ベルト３０の巻回エリア内に設置している。また、このテンションスプリング３７は、圧縮スプリングで構成し、スプリング内にカラーを設け、カラーの長さまでスプリングを圧縮させると適正張力となるよう構成している。
【００３２】
脱穀部の機体側板を補強する補強部材３８には、カウンタベルト２２をテンッションするカウンタテンションアーム３９の支点部Ｑ及びカウンタベルト２２を内側から張圧する調整可能なルーズプーリ４０の取付部を設けた構成としている。
【００３３】
なお、前記カウンタテンションアーム３９と１番・２番テンションアーム３６のアーム比を変えることで、カウンタテンションスプリング４１の圧縮スプリングとカラーを１番・２番テンションスプリング３７と共用することができる。
【００３４】
刈取逆転ベルト２５をテンションする刈取逆転用テンションアーム４２は、脱穀カウンタ軸２０を支点として揺動変位するよう架設した構成としている。
【００３５】
前記カウンタベルト２２の下部で、１番・２番ベルト３０の前方部デルタゾーンに点検窓４３を設けることで、選別室内、特に揺動選別棚のメンテナンスが容易に行える。
【００３６】
刈取逆転駆動プーリ４４外周部には、ベルトストッパ４５が設けられている。そして、そのストッパ取付部４５ａをカウンタベルト２２の巻回エリア圏内で機体側面に設けることで、刈取逆転ベルトの交換等が容易に行えるようにしている。
【００３７】
なお、図３において、唐箕１６に連通する選別風選経路内に２個の風割りガイド４７，４７を設けて３風路Ａ，Ｂ，Ｃを構成し、第１風路Ａは略垂直状に構成し、第２風路Ｂ及び第３風路Ｃは、後方上方向き傾斜に構成している。第１風路Ａからは選別風がチャフシーブ４８の始端側を上昇し、第２風路Ｂからはグレンシーブ４９及びチャフシーブ４８に向けて上昇し、第３風路Ｃからはストローラック５０に向けて上昇することで、選別風が揺動選別棚全体に行き届き選別性能が大幅に向上する。
【００３８】
図５及び図６に示す実施例においては、扱胴カバー５１の内側形状が略円形になっており、扱胴カバーの内側に取付方式の排塵ガイド板５２を設けるにあたり、図６に示すような角度の異なる排塵ガイド板５２ａ，５２ｂ，５２ｃを作物の品種等の違いによって着け替えができるように構成したものである。これによると、品種の違い（脱粒性の良し悪し）によるガイド板の使い分けが可能となり、品種に対する適応性が向上する。
【符号の説明】
【００３９】
９    脱穀部（脱穀装置）
１５    揺動選別棚
１６    唐箕
１７    １番螺旋受樋
１８    ２番螺旋受樋
１９    排稈切断装置（スプレッダ）
２０    脱穀カウンタ軸
２１    後部カウンタ軸
２２    カウンタベルト
２３    刈取入力軸
２４    刈取逆転入力軸
２５    刈取逆転ベルト
２６    唐箕入力軸
２７    唐箕ベルト
２８    １番螺旋軸
２９    ２番螺旋軸
３０    １番・２番ベルト
３１    揺動クランク軸
３２    揺動ベルト
３３    スプレッダ入力軸
３４    スプレッダベルト
３６    １番・２番用テンションアーム
３７    テンションスプリング
４２    刈取逆転用テンションアーム
４４    刈取逆転駆動プーリ
４５    ベルトストッパ
【図１】
2016185093.tif 000003
【図２】
2016185093.tif 000004
【図３】
2016185093.tif 000005
【図４】
2016185093.tif 000006
【図５】
2016185093.tif 000007
【図６】
2016185093.tif 000008